(57)【特許請求の範囲】
【請求項１】
所定のクロック専用トラックに記録されているクロック再生信号に基づくクロックに基づいて、同じデータ領域に、一方のデータの情報が記録される位相と、前記一方のデータとは周波数特性が異なる他方のデータの情報が記録される位相とが、それぞれ異なるように、複数のデータが多重に記録されている
ことを特徴とする記録媒体。
【請求項２】
前記一方のデータは、記録媒体毎に異なる固有の情報である
ことを特徴とする請求項１に記載の記録媒体。
【請求項３】
前記一方のデータが第１の記録電流で記録された前記データ領域に、前記他方のデータは、前記第１の記録電流よりも弱い第２の記録電流で記録される
ことを特徴とする請求項１に記載の記録媒体。
【請求項４】
記録媒体にデータを記録する記録装置において、
前記記録媒体のトラック上の所定のデータ領域に、前記データを記録するデータ記録手段と、
前記データ記録手段により第１の周回において一方のデータが記録された後、前記第１の周回の次の第２の周回においても記録ヘッドが前記トラック上を再度移動するように、前記記録ヘッドの位置を制御するヘッド位置制御手段と、
前記記録媒体の所定のクロック専用トラックに記録されているクロック再生信号に基づくクロックに基づいて、前記一方のデータの情報が記録される位相と、前記一方のデータと周波数特性が異なる他方のデータの情報が記録される位相とが異なるように、前記他方のデータを記録するタイミングを生成するタイミング生成手段と
を備え、
前記データ記録手段は、前記トラック上の前記所定のデータ領域に、前記第１の周回において、所定のタイミングで、前記一方のデータを記録し、前記第２の周回において、前記タイミング生成手段により生成されたタイミングで、前記他方のデータを記録する
ことを特徴とする記録装置。
【請求項５】
前記一方のデータは、前記記録媒体毎に異なる固有の情報である
ことを特徴とする請求項４に記載の記録装置。
【請求項６】
前記データ記録手段は、前記一方のデータを、第１の記録電流で記録し、前記他方のデータを、前記第１の記録電流よりも弱い第２の記録電流で記録する
ことを特徴とする請求項４に記載の記録装置。
【請求項７】
記録媒体にデータを記録する記録装置の記録方法において、
前記記録媒体のトラック上の所定のデータ領域に、前記データを記録するデータ記録ステップと、
前記データ記録ステップの処理により第１の周回において一方のデータが記録された後、前記第１の周回の次の第２の周回においても記録ヘッドが前記トラック上を再度移動するように、前記記録ヘッドの位置を制御するヘッド位置制御ステップと、
前記記録媒体の所定のクロック専用トラックに記録されているクロック再生信号に基づくクロックに基づいて、前記一方のデータの情報が記録される位相と、前記一方のデータと周波数特性が異なる他方のデータの情報が記録される位相とが異なるように、前記他方のデータを記録するタイミングを生成するタイミング生成ステップと
を含み、
前記データ記録ステップの処理では、前記トラック上の前記所定のデータ領域に、前記第１の周回において、所定のタイミングで、前記一方のデータを記録し、前記第２の周回において、前記タイミング生成ステップの処理により生成されたタイミングで、前記他方のデータを記録する
ことを特徴とする記録方法。
【請求項８】
記録媒体にデータを記録する処理をコンピュータに行わせるプログラムが記録されるプログラム記録媒体であって、
前記記録媒体のトラック上の所定のデータ領域に、前記データを記録するデータ記録ステップと、
前記データ記録ステップの処理により第１の周回において一方のデータが記録された後、前記第１の周回の次の第２の周回においても記録ヘッドが前記トラック上を再度移動するように、前記記録ヘッドの位置を制御するヘッド位置制御ステップと、
前記記録媒体の所定のクロック専用トラックに記録されているクロック再生信号に基づくクロックに基づいて、前記一方のデータの情報が記録される位相と、前記一方のデータと周波数特性が異なる他方のデータの情報が記録される位相とが異なるように、前記他方のデータを記録するタイミングを生成するタイミング生成ステップと
を含み、
前記データ記録ステップの処理では、前記トラック上の前記所定のデータ領域に、前記第１の周回において、所定のタイミングで、前記一方のデータを記録し、前記第２の周回において、前記タイミング生成ステップの処理により生成されたタイミングで、前記他方のデータを記録する
ことを特徴とするプログラムが記録されるプログラム記録媒体。
【請求項９】
記録媒体にデータを記録する処理をコンピュータに行わせるプログラムであって、
前記記録媒体のトラック上の所定のデータ領域に、前記データを記録するデータ記録ステップと、
前記データ記録ステップの処理により第１の周回において一方のデータが記録された後、前記第１の周回の次の第２の周回においても記録ヘッドが前記トラック上を再度移動するように、前記記録ヘッドの位置を制御するヘッド位置制御ステップと、
前記記録媒体の所定のクロック専用トラックに記録されているクロック再生信号に基づくクロックに基づいて、前記一方のデータの情報が記録される位相と、前記一方のデータと周波数特性が異なる他方のデータの情報が記録される位相とが異なるように、前記他方のデータを記録するタイミングを生成するタイミング生成ステップと
を含み、
前記データ記録ステップの処理では、前記トラック上の前記所定のデータ領域に、前記第１の周回において、所定のタイミングで、前記一方のデータを記録し、前記第２の周回において、前記タイミング生成ステップの処理により生成されたタイミングで、前記他方のデータを記録する
ことを特徴とするプログラム。
【請求項１０】
記録媒体に記録されているデータを再生する再生装置において、
同じデータ領域に、一方のデータの情報が記録される位相と、前記一方のデータとは周波数特性が異なる他方のデータの情報が記録される位相とが、それぞれ異なるように、複数のデータが多重に記録された前記記録媒体から信号を読み出す読み出し手段と、
前記一方のデータの増幅すべき第１の周波数および前記他方のデータの増幅すべき第２の周波数の信号成分が両方とも増幅するように設定された所定の周波数の信号成分を増幅して、前記読み出し手段により読み出された前記信号の波形を整形する波形整形手段と、
前記一方のデータの情報が記録される位相および前記他方のデータの情報が記録される位相に基づいて、前記波形整形手段により波形が整形された前記信号から、前記一方のデータおよび前記他方のデータを復号するタイミングを制御するタイミング制御手段と、
前記タイミング制御手段によるタイミングに従って、前記波形整形手段により波形が整形された前記信号から、前記一方のデータおよび前記他方のデータを復号する復号手段と
を備えることを特徴とする再生装置。
【請求項１１】
前記一方のデータは、前記記録媒体毎に異なる固有の情報である
を特徴とする請求項１０に記載の再生装置。
【請求項１２】
前記波形整形手段は、信号の位相特性が、前記所定の周波数の２倍以上の周波数まで直線になるように、前記所定の周波数の信号成分を増幅させて、前記信号の波形を整形する
ことを特徴とする請求項１０に記載の再生装置。
【請求項１３】
前記波形整形手段により増幅される前記所定の周波数の信号成分は、前記読み出し手段の読み出し速度に追従して変化する
ことを特徴とする請求項１０に記載の再生装置。
【請求項１４】
前記読み出し手段により前記データ領域以外の信号が読み出されるか否かを判定するデータ判定手段をさらに備え、
前記データ判定手段により前記データ領域以外の信号が読み出されると判定された場合、前記波形整形手段は、前記第２の周波数の信号成分を増幅して、前記読み出し手段により読み出された前記信号の波形を整形する
ことを特徴とする請求項１０に記載の再生装置。
【請求項１５】
記録媒体に記録されているデータを再生する再生装置の再生方法において、
同じデータ領域に、一方のデータの情報が記録される位相と、前記一方のデータとは周波数特性が異なる他方のデータの情報が記録される位相とが、それぞれ異なるように、複数のデータが多重に記録された前記記録媒体から信号を読み出す読み出しステップと、
前記一方のデータの増幅すべき第１の周波数および前記他方のデータの増幅すべき第２の周波数の信号成分が両方とも増幅するように設定された所定の周波数の信号成分を増幅して、前記読み出し手段により読み出された前記信号の波形を整形する波形整形ステップと、
前記一方のデータの情報が記録される位相および前記他方のデータの情報が記録される位相に基づいて、前記波形整形ステップの処理により波形が整形された前記信号から、前記一方のデータおよび前記他方のデータを復号するタイミングを制御するタイミング制御ステップと、
前記タイミング制御ステップの処理によるタイミングに従って、前記波形整形ステップの処理により波形が整形された前記信号から、前記一方のデータおよび前記他方のデータを復号する復号ステップと
を含むことを特徴とする再生方法。
【請求項１６】
記録媒体に記録されているデータを再生する処理をコンピュータに行わせるプログラムが記録されるプログラム記録媒体であって、
同じデータ領域に、一方のデータの情報が記録される位相と、前記一方のデータとは周波数特性が異なる他方のデータの情報が記録される位相とが、それぞれ異なるように、複数のデータが多重に記録された前記記録媒体から信号を読み出す読み出しステップと、
前記一方のデータの増幅すべき第１の周波数および前記他方のデータの増幅すべき第２の周波数の信号成分が両方とも増幅するように設定された所定の周波数の信号成分を増幅して、前記読み出し手段により読み出された前記信号の波形を整形する波形整形ステップと、
前記一方のデータの情報が記録される位相および前記他方のデータの情報が記録される位相に基づいて、前記波形整形ステップの処理により波形が整形された前記信号から、前記一方のデータおよび前記他方のデータを復号するタイミングを制御するタイミング制御ステップと、
前記タイミング制御ステップの処理によるタイミングに従って、前記波形整形ステップの処理により波形が整形された前記信号から、前記一方のデータおよび前記他方のデータを復号する復号ステップと
を含むことを特徴とするプログラムが記録されるプログラム記録媒体。
【請求項１７】
記録媒体に記録されているデータを再生する処理をコンピュータに行わせるプログラムであって、
同じデータ領域に、一方のデータの情報が記録される位相と、前記一方のデータとは周波数特性が異なる他方のデータの情報が記録される位相とが、それぞれ異なるように、複数のデータが多重に記録された前記記録媒体から信号を読み出す読み出しステップと、
前記一方のデータの増幅すべき第１の周波数および前記他方のデータの増幅すべき第２の周波数の信号成分が両方とも増幅するように設定された所定の周波数の信号成分を増幅して、前記読み出し手段により読み出された前記信号の波形を整形する波形整形ステップと、
前記一方のデータの情報が記録される位相および前記他方のデータの情報が記録される位相に基づいて、前記波形整形ステップの処理により波形が整形された前記信号から、前記一方のデータおよび前記他方のデータを復号するタイミングを制御するタイミング制御ステップと、
前記タイミング制御ステップの処理によるタイミングに従って、前記波形整形ステップの処理により波形が整形された前記信号から、前記一方のデータおよび前記他方のデータを復号する復号ステップと
を含むことを特徴とするプログラム。
【発明の詳細な説明】
【技術分野】
【０００１】
本発明は、記録媒体、記録装置および方法、再生装置および方法、プログラム記録媒体、並びにプログラムに関し、特に、情報の書き換えを困難にすることで、コンテンツの不正コピーを抑制することができるようにした記録媒体、記録装置および方法、再生装置および方法、プログラム記録媒体、並びにプログラムに関する。
【背景技術】
【０００２】
近年、音楽や映像などのコンテンツを、ネットワークや放送を介して配信し、配信されたコンテンツを、ユーザのパーソナルコンピュータで表示したり、磁気ディスク、光磁気ディスクなどの装置（記録媒体）に記録する情報配信システムが普及している。この情報配信システムにおいては、コンテンツの制作者の著作権保護を目的として、不正コピーを防止するための仕組みが必要となる。
【０００３】
この仕組みの１つの方法として、例えば、ユーザの装置が正式にライセンスされた装置であるか否かを認証するために、記録する装置または記録媒体に、それらを識別するための固有の情報（ＩＤ(Identify)情報）を埋め込む方法がある。情報提供側は、コンテンツの配信を行う際に、そのＩＤ情報に基づいて、ユーザの装置が正式にライセンスされた装置であるか否かの判断を行う。その結果、ユーザの装置が正式にライセンスされた装置であると判断された場合、情報提供側によりコンテンツの配信が許可されるので、ユーザの装置は、コンテンツを記録することができる。一方、ユーザの装置が正式にライセンスされた装置ではないと判断された場合、情報提供側によりコンテンツの配信が禁止されるので、ユーザの装置は、コンテンツを記録できない。
【０００４】
また、他の方法としては、どのような装置であっても、コンテンツの記録はできるが、ＩＤ情報に基づいて、再生時にライセンスの確認を行うことにより、正式にライセンスされていない不正なコピーの場合に、その記録されたコンテンツは、再生されないようにする方法もある。
【０００５】
これらの装置または記録媒体を識別するためのＩＤ情報は、記録媒体のデータ部分の所定の位置に出荷時点で予め重複がないように記録されていることが多い。
【０００６】
しかしながら、記録媒体のデータ部分に記録されたＩＤ情報は、ユーザの操作により、ホストコンピュータなどから書き換えが可能であるため、改竄される恐れがある。例えば、記録媒体のドライブを制御するプログラムなどによって、ＩＤ情報を記録した領域が書き換えが不可能とする処理を行うようになっていたとしても、そのＩＤ情報を記録した領域は、悪意のある第３者などにより、この制御プログラムを書き換えるなどの方法で書き換えられてしまう。
【０００７】
そこで、特許文献１においては、書き換えが可能な記録媒体のデータ部分ではなく、書き換えが不可能である記録媒体のサーボ情報が記録されているサーボ部分の一部にＩＤ情報を記録する方法が、本出願人により提案されている。
【０００８】
【特許文献１】特開平１０−３２５７９公報
【発明の開示】
【発明が解決しようとする課題】
【０００９】
しかしながら、記録媒体のデータ部分にＩＤ情報を記録した場合には、まだ、ＩＤ情報が書き換えられ、改竄されてしまい、不正コピーを防止しきれない課題があった。
【００１０】
一方、上述したように、記録媒体のデータ部分ではなく、ＩＤ情報の書き換えが不可能であるサーボ部分の一部にＩＤ情報を記録するのも１つの方法であるが、この場合、現状は、不正コピーなどを抑制することができたとしても、サーボ部分を見ることにより、ＩＤ情報が記録されている位置および内容などがわかってしまうため、将来的に、悪意のある第３者により、そのＩＤ情報が用いられて、不正行為が行われてしまう恐れがある課題があった。
【００１１】
本発明は、このような状況に鑑みてなされたものであり、記録媒体のデータ部分にＩＤ情報を記録した場合であっても、ＩＤ情報の書き換えを抑制することができるようにするものである。
【課題を解決するための手段】
【００１２】
本発明の記録媒体は、所定のクロック専用トラックに記録されているクロック再生信号に基づくクロックに基づいて、同じデータ領域に、一方のデータの情報が記録される位相と、一方のデータとは周波数特性が異なる他方のデータの情報が記録される位相とが、それぞれ異なるように、複数のデータが多重に記録されていることを特徴とする。
【００１３】
一方のデータは、記録媒体毎に異なる固有の情報であるようにすることができる。
【００１４】
一方のデータが第１の記録電流で記録されたデータ領域に、他方のデータは、第１の記録電流よりも弱い第２の記録電流で記録されるようにすることができる。
【００１５】
本発明の記録装置は、記録媒体のトラック上の所定のデータ領域に、データを記録するデータ記録手段と、データ記録手段により第１の周回において一方のデータが記録された後、第１の周回の次の第２の周回においても記録ヘッドがトラック上を再度移動するように、記録ヘッドの位置を制御するヘッド位置制御手段と、記録媒体の所定のクロック専用トラックに記録されているクロック再生信号に基づくクロックに基づいて、一方のデータの情報が記録される位相と、一方のデータと周波数特性が異なる他方のデータの情報が記録される位相とが異なるように、他方のデータを記録するタイミングを生成するタイミング生成手段とを備え、データ記録手段は、トラック上の所定のデータ領域に、第１の周回において、所定のタイミングで、一方のデータを記録し、第２の周回において、タイミング生成手段により生成されたタイミングで、他方のデータを記録することを特徴とする。
【００１６】
一方のデータは、記録媒体毎に異なる固有の情報であるようにすることができる。
【００１７】
データ記録手段は、一方のデータを、第１の記録電流で記録し、他方のデータを、第１の記録電流よりも弱い第２の記録電流で記録するようにすることができる。
【００１８】
本発明の記録方法は、記録媒体のトラック上の所定のデータ領域に、データを記録するデータ記録ステップと、データ記録ステップの処理により第１の周回において一方のデータが記録された後、第１の周回の次の第２の周回においても記録ヘッドがトラック上を再度移動するように、記録ヘッドの位置を制御するヘッド位置制御ステップと、記録媒体の所定のクロック専用トラックに記録されているクロック再生信号に基づくクロックに基づいて、一方のデータの情報が記録される位相と、一方のデータと周波数特性が異なる他方のデータの情報が記録される位相とが異なるように、他方のデータを記録するタイミングを生成するタイミング生成ステップとを含み、データ記録ステップの処理では、トラック上の所定のデータ領域に、第１の周回において、所定のタイミングで、一方のデータを記録し、第２の周回において、タイミング生成ステップの処理により生成されたタイミングで、他方のデータを記録することを特徴とする。
【００１９】
本発明の第１のプログラム記録媒体に記録されているプログラムは、記録媒体のトラック上の所定のデータ領域に、データを記録するデータ記録ステップと、データ記録ステップの処理により第１の周回において一方のデータが記録された後、第１の周回の次の第２の周回においても記録ヘッドがトラック上を再度移動するように、記録ヘッドの位置を制御するヘッド位置制御ステップと、記録媒体の所定のクロック専用トラックに記録されているクロック再生信号に基づくクロックに基づいて、一方のデータの情報が記録される位相と、一方のデータと周波数特性が異なる他方のデータの情報が記録される位相とが異なるように、他方のデータを記録するタイミングを生成するタイミング生成ステップとを含み、データ記録ステップの処理では、トラック上の所定のデータ領域に、第１の周回において、所定のタイミングで、一方のデータを記録し、第２の周回において、タイミング生成ステップの処理により生成されたタイミングで、他方のデータを記録することを特徴とする。
【００２０】
本発明の第１のプログラムは、記録媒体のトラック上の所定のデータ領域に、データを記録するデータ記録ステップと、データ記録ステップの処理により第１の周回において一方のデータが記録された後、第１の周回の次の第２の周回においても記録ヘッドがトラック上を再度移動するように、記録ヘッドの位置を制御するヘッド位置制御ステップと、記録媒体の所定のクロック専用トラックに記録されているクロック再生信号に基づくクロックに基づいて、一方のデータの情報が記録される位相と、一方のデータと周波数特性が異なる他方のデータの情報が記録される位相とが異なるように、他方のデータを記録するタイミングを生成するタイミング生成ステップとを含み、データ記録ステップの処理では、トラック上の所定のデータ領域に、第１の周回において、所定のタイミングで、一方のデータを記録し、第２の周回において、タイミング生成ステップの処理により生成されたタイミングで、他方のデータを記録することを特徴とする。
【００２１】
本発明の再生装置は、同じデータ領域に、一方のデータの情報が記録される位相と、一方のデータとは周波数特性が異なる他方のデータの情報が記録される位相とが、それぞれ異なるように、複数のデータが多重に記録された記録媒体から信号を読み出す読み出し手段と、一方のデータの増幅すべき第１の周波数および他方のデータの増幅すべき第２の周波数の信号成分が両方とも増幅するように設定された所定の周波数の信号成分を増幅して、読み出し手段により読み出された信号の波形を整形する波形整形手段と、一方のデータの情報が記録される位相および他方のデータの情報が記録される位相に基づいて、波形整形手段により波形が整形された信号から、一方のデータおよび他方のデータを復号するタイミングを制御するタイミング制御手段と、タイミング制御手段によるタイミングに従って、波形整形手段により波形が整形された信号から、一方のデータおよび他方のデータを復号する復号手段とを備えることを特徴とする。
【００２２】
一方のデータは、記録媒体毎に異なる固有の情報であるようにすることができる。
【００２３】
波形整形手段は、信号の位相特性が、所定の周波数の２倍以上の周波数まで直線になるように、所定の周波数の信号成分を増幅させて、信号の波形を整形するようにすることができる。
【００２４】
波形整形手段により増幅される所定の周波数の信号成分は、読み出し手段の読み出し速度に追従して変化するようにすることができる。
【００２５】
読み出し手段によりデータ領域以外の信号が読み出されるか否かを判定するデータ判定手段をさらに備え、データ判定手段によりデータ領域以外の信号が読み出されると判定された場合、波形整形手段は、第２の周波数の信号成分を増幅して、読み出し手段により読み出された信号の波形を整形するようにすることができる。
【００２６】
本発明の再生方法は、同じデータ領域に、一方のデータの情報が記録される位相と、一方のデータとは周波数特性が異なる他方のデータの情報が記録される位相とが、それぞれ異なるように、複数のデータが多重に記録された記録媒体から信号を読み出す読み出しステップと、一方のデータの増幅すべき第１の周波数および他方のデータの増幅すべき第２の周波数の信号成分が両方とも増幅するように設定された所定の周波数の信号成分を増幅して、読み出し手段により読み出された信号の波形を整形する波形整形ステップと、一方のデータの情報が記録される位相および他方のデータの情報が記録される位相に基づいて、波形整形ステップの処理により波形が整形された信号から、一方のデータおよび他方のデータを復号するタイミングを制御するタイミング制御ステップと、タイミング制御ステップの処理によるタイミングに従って、波形整形ステップの処理により波形が整形された信号から、一方のデータおよび他方のデータを復号する復号ステップとを含むことを特徴とする。
【００２７】
本発明の第２のプログラム記録媒体に記録されているプログラムは、同じデータ領域に、一方のデータの情報が記録される位相と、一方のデータとは周波数特性が異なる他方のデータの情報が記録される位相とが、それぞれ異なるように、複数のデータが多重に記録された記録媒体から信号を読み出す読み出しステップと、一方のデータの増幅すべき第１の周波数および他方のデータの増幅すべき第２の周波数の信号成分が両方とも増幅するように設定された所定の周波数の信号成分を増幅して、読み出し手段により読み出された信号の波形を整形する波形整形ステップと、一方のデータの情報が記録される位相および他方のデータの情報が記録される位相に基づいて、波形整形ステップの処理により波形が整形された信号から、一方のデータおよび他方のデータを復号するタイミングを制御するタイミング制御ステップと、タイミング制御ステップの処理によるタイミングに従って、波形整形ステップの処理により波形が整形された信号から、一方のデータおよび他方のデータを復号する復号ステップとを含むことを特徴とする。
【００２８】
本発明の第２のプログラムは、同じデータ領域に、一方のデータの情報が記録される位相と、一方のデータとは周波数特性が異なる他方のデータの情報が記録される位相とが、それぞれ異なるように、複数のデータが多重に記録された記録媒体から信号を読み出す読み出しステップと、一方のデータの増幅すべき第１の周波数および他方のデータの増幅すべき第２の周波数の信号成分が両方とも増幅するように設定された所定の周波数の信号成分を増幅して、読み出し手段により読み出された信号の波形を整形する波形整形ステップと、一方のデータの情報が記録される位相および他方のデータの情報が記録される位相に基づいて、波形整形ステップの処理により波形が整形された信号から、一方のデータおよび他方のデータを復号するタイミングを制御するタイミング制御ステップと、タイミング制御ステップの処理によるタイミングに従って、波形整形ステップの処理により波形が整形された信号から、一方のデータおよび他方のデータを復号する復号ステップとを含むことを特徴とする。
【００２９】
第１の本発明においては、所定のクロック専用トラックに記録されているクロック再生信号に基づくクロックに基づいて、同じデータ領域に、一方のデータの情報が記録される位相と、一方のデータとは周波数特性が異なる他方のデータの情報が記録される位相とが、それぞれ異なるように、複数のデータが多重に記録されている。
【００３０】
第２の本発明においては、記録媒体のトラック上の所定のデータ領域に、第１の周回において、所定のタイミングで、一方のデータが記録される。そして、第１の周回において一方のデータが記録された後、第１の周回の次の第２の周回においても記録ヘッドがトラック上を再度移動するように、記録ヘッドの位置が制御され、記録媒体の所定のクロック専用トラックに記録されているクロック再生信号に基づくクロックに基づいて、一方のデータの情報が記録される位相と、一方のデータと周波数特性が異なる他方のデータの情報が記録される位相とが異なるように、他方のデータを記録するタイミングが生成され、第２の周回において、生成されたタイミングで、他方のデータが重ねて記録される。
【００３１】
第３の本発明においては、同じデータ領域に、一方のデータの情報が記録される位相と、一方のデータとは周波数特性が異なる他方のデータの情報が記録される位相とが、それぞれ異なるように、複数のデータが多重に記録された記録媒体から、一方のデータの増幅すべき第１の周波数および他方のデータの増幅すべき第２の周波数の信号成分が両方とも増幅するように設定された所定の周波数の信号成分が増幅されて、読み出された信号の波形が整形される。そして、一方のデータの情報が記録される位相および他方のデータの情報が記録される位相に基づいて、波形が整形された信号から、一方のデータおよび他方のデータを復号するタイミングが制御され、波形が整形された信号から、一方のデータおよび他方のデータが復号される。
【００３２】
記録装置は、独立した装置であってもよいし、記録再生装置の記録処理を行うブロックであってもよい。
【００３３】
再生装置は、独立した装置であってもよいし、記録再生装置の再生処理を行うブロックであってもよい。
【発明の効果】
【００３４】
本発明によれば、記録媒体に記録された固有の情報の改竄を抑制することができる。また、本発明によれば、情報の不正コピーを抑制し、著作権の保護を推進することができる。
【発明を実施するための最良の形態】
【００３５】
以下に本発明の実施の形態を説明するが、請求項に記載の構成要件と、発明の実施の形態における具体例との対応関係を例示すると、次のようになる。この記載は、請求項に記載されている発明をサポートする具体例が、発明の実施の形態に記載されていることを確認するためのものである。したがって、発明の実施の形態中には記載されているが、構成要件に対応するものとして、ここには記載されていない具体例があったとしても、そのことは、その具体例が、その構成要件に対応するものではないことを意味するものではない。逆に、具体例が構成要件に対応するものとしてここに記載されていたとしても、そのことは、その具体例が、その構成要件以外の構成要件には対応しないものであることを意味するものでもない。
【００３６】
さらに、この記載は、発明の実施の形態に記載されている具体例に対応する発明が、請求項に全て記載されていることを意味するものではない。換言すれば、この記載は、発明の実施の形態に記載されている具体例に対応する発明であって、この出願の請求項には記載されていない発明の存在、すなわち、将来、分割出願されたり、補正により追加される発明の存在を否定するものではない。
【００３７】
請求項１に記載の記録媒体（例えば、図２の磁気ディスク２）は、所定のクロック専用トラックに記録されているクロック再生信号に基づくクロックに基づいて、同じデータ領域に、一方のデータ（例えば、ＩＤ情報）が記録される位相（例えば、図５の磁化変化点ａ１）と、一方のデータとは周波数特性が異なる他方のデータ（例えば、タイトル情報）が記録される位相（図５の磁化変化点ａ２）とが、それぞれ異なるように、複数のデータが多重に記録されていることを特徴とする。
【００３８】
請求項４に記載の記録装置は、記録媒体（例えば、図２の磁気ディスク２）のトラック上の所定のデータ領域に、データを記録するデータ記録手段（例えば、図１の記録アンプ１９）と、データ記録手段により第１の周回において一方のデータ（例えば、ＩＤ情報）が記録された後、第１の周回の次の第２の周回においても記録ヘッドがトラック上を再度移動するように、記録ヘッドの位置を制御するヘッド位置制御手段（例えば、図１の位置制御部２１）と、記録媒体の所定のクロック専用トラックに記録されているクロック再生信号に基づくクロックに基づいて、一方のデータの情報が記録される位相と、一方のデータと周波数特性が異なる他方のデータ（例えば、タイトル情報）が記録される位相とが異なるように、他方のデータを記録するタイミングを生成するタイミング生成手段（例えば、図１のタイミング発生部１７）とを備え、データ記録手段は、トラック上の所定のデータ領域に、第１の周回において、所定のタイミングで、一方のデータを記録し、第２の周回において、タイミング生成手段により生成されたタイミングで、他方のデータを記録することを特徴とする。
【００３９】
請求項７に記載の記録方法は、記録媒体のトラック上の所定のデータ領域に、データを記録するデータ記録ステップ（例えば、図７のステップＳ２３）と、データ記録ステップの処理により第１の周回において一方のデータが記録された後、第１の周回の次の第２の周回においても記録ヘッドがトラック上を再度移動するように、記録ヘッドの位置を制御するヘッド位置制御ステップ（例えば、図７のステップＳ２５）と、記録媒体の所定のクロック専用トラックに記録されているクロック再生信号に基づくクロックに基づいて、一方のデータの情報が記録される位相と、一方のデータと周波数特性が異なる他方のデータの情報が記録される位相とが異なるように、他方のデータを記録するタイミングを生成するタイミング生成ステップ（例えば、図７のステップＳ２７）とを含み、データ記録ステップの処理では、トラック上の所定のデータ領域に、第１の周回において、所定のタイミングで、一方のデータを記録し、第２の周回において、タイミング生成ステップの処理により生成されたタイミングで、他方のデータを記録することを特徴とする。
【００４０】
なお、請求項８に記載のプログラム記録媒体および請求項９に記載のプログラムは、上述した請求項７に記載の記録方法と基本的に同様の構成であるため、繰り返しになるのでその説明は省略する。
【００４１】
請求項１０に記載の再生装置は、同じデータ領域に、一方のデータ（例えば、ＩＤ情報）が記録される位相と、一方のデータとは周波数特性が異なる他方のデータ（例えば、タイトル情報）が記録される位相とが、それぞれ異なるように、複数のデータが多重に記録された記録媒体（例えば、図２の磁気ディスク２）から信号を読み出す読み出し手段（例えば、図８の再生アンプ２１２）と、一方のデータの増幅すべき第１の周波数（例えば、図１１の周波数Ｄ）および他方のデータの増幅すべき第２の周波数（例えば、図１１の周波数Ｃ）の信号成分が両方とも増幅するように設定された所定の周波数（例えば、図１１の周波数Ｅ）の信号成分を増幅して、読み出し手段により読み出された信号の波形を整形する波形整形手段（例えば、図８の等化器２１３）と、一方のデータの情報が記録される位相および他方のデータの情報が記録される位相に基づいて、波形整形手段により波形が整形された信号から、一方のデータおよび他方のデータを復号するタイミングを制御するタイミング制御手段（例えば、図８のタイミング発生部２１９）と、タイミング制御手段によるタイミングに従って、波形整形手段により波形が整形された信号から、一方のデータおよび他方のデータを復号する復号手段（例えば、図８のＩＤ検出部２２０およびデータ復調部２２１）とを備えることを特徴とする。
【００４２】
請求項１２に記載の再生装置は、信号の位相特性が、所定の周波数（例えば、図１３の周波数Ｆ）の２倍以上の周波数（例えば、図１３の周波数Ｉ）まで直線になるように、所定の周波数の信号成分を増幅させて、信号の波形を整形することを特徴とする。
【００４３】
請求項１４に記載の再生装置は、読み出し手段によりデータ領域以外の信号が読み出されるか否かを判定するデータ判定手段（例えば、図８のＣＰＵ１１）をさらに備え、データ判定手段によりデータ領域以外の信号が読み出されると判定された場合、波形整形手段は、第２の周波数の信号成分を増幅して、読み出し手段により読み出された信号の波形を整形することを特徴とする。
【００４４】
請求項１５に記載の再生方法は、同じデータ領域に、一方のデータの情報が記録される位相と、一方のデータとは周波数特性が異なる他方のデータの情報が記録される位相とが、それぞれ異なるように、複数のデータが多重に記録された記録媒体から信号を読み出す読み出しステップ（例えば、図１４のステップＳ５３）と、一方のデータの増幅すべき第１の周波数および他方のデータの増幅すべき第２の周波数の信号成分が両方とも増幅するように設定された所定の周波数の信号成分を増幅して、読み出し手段により読み出された信号の波形を整形する波形整形ステップ（例えば、図１４のステップＳ５４）と、一方のデータの情報が記録される位相および他方のデータの情報が記録される位相に基づいて、波形整形ステップの処理により波形が整形された信号から、一方のデータおよび他方のデータを復号するタイミングを制御するタイミング制御ステップ（例えば、図１４のステップＳ５６およびＳ５７）と、タイミング制御ステップの処理によるタイミングに従って、波形整形ステップの処理により波形が整形された信号から、一方のデータおよび他方のデータを復号する復号ステップ（例えば、図１４のステップＳ５８およびＳ５９）とを含むことを特徴とする。
【００４５】
なお、請求項１６に記載のプログラム記録媒体および請求項１７に記載のプログラムは、上述した請求項１５に記載の再生方法と基本的に同様の構成であるため、繰り返しになるのでその説明は省略する。
【００４６】
以下、図を参照して本発明の実施の形態について説明する。
【００４７】
図１は、本発明を適用した記録装置１の構成例を表している。記録装置１は、例えば、記録ヘッドの位置決めやタイミング生成が精度よく行うことができるサーボライタにより構成される。記録装置１は、装着された磁気ディスク２に、パーソナルコンピュータなどが記録や再生を行うヘッドを所定の位置に制御するための様々なマークやパターンからなるサーボ情報、磁気ディスク２を識別するための固有の情報（以下、ＩＤ(Identify)情報と称する）、ＩＤ情報と重ねて記録される、例えば、磁気ディスク２の名前などのタイトル情報などを記録する処理を行う。なお、図１の例においては、記録装置１の記録処理を行うブロックのみが示されており、それ以外のブロック（例えば、各ブロックの基幹となるホストコンピュータなど）は省略されている。
【００４８】
磁気ディスク２は、記録装置１によりサーボ情報、ＩＤ情報およびタイトル情報などが記録された後、例えば、パーソナルコンピュータ（図８を参照して後述する記録再生装置２０１）などに組み込まれる磁気ディスクで構成されている。なお、磁気ディスク２は、パーソナルコンピュータなどに、着脱が可能な光磁気ディスク（MD(Mini-Disk)（商標）を含む）などからなるようにしてもよい。また、タイトル情報は、ＩＤ情報以外の他の情報であればよく、磁気ディスク２の名前以外にも、磁気ディスク２に書き込まれる情報のタイトルなどの情報であってもよいし、意味のないダミーデータであってもよい。
【００４９】
図１の例において、ＣＰＵ（Central Processing Unit）１１は、ハードディスクコントローラ１２を介して、バッファＲＡＭ（Random Access Memory）１３および図示せぬホストコンピュータと相互に接続されている。また、ハードディスクコントローラ１２には、タイミング発生部１７、記録データ生成部１８、および記録アンプ１９が接続されており、ＣＰＵ１１は、ホストコンピュータなどからバッファＲＡＭ１３にロードされたプログラムに従って、タイミング発生部１７、記録データ生成部１８、および記録アンプ１９を制御し、磁気ディスク２への記録処理を実行させる。バッファＲＡＭ１３にはまた、ＣＰＵ１１が各種の処理を実行する上において必要なデータなどが適宜記憶される。なお、図１の例においては、図示は省略するが、実際には、磁気ディスク２の回転制御部などもハードディスクコントローラ１２に接続されている。
【００５０】
再生ヘッド１４は、磁気ディスク２の、例えば、最外周などに設けられたクロック専用トラックに記録されているクロックの再生信号を読み出し、読み出した再生信号を、再生アンプ１５に出力する。再生アンプ１５は、再生ヘッド１４からの再生信号を増幅し、増幅した再生信号を、クロック生成部１６に出力する。クロック生成部１６は、再生アンプ１５からの再生信号に基づいて、クロック（同期信号）を生成し、生成したクロックを、タイミング発生部１７に出力する。
【００５１】
タイミング発生部１７は、ＣＰＵ１１の制御のもと、クロック生成部１６からのクロックに基づいて、サーボ情報、ＩＤ情報、またはタイトル情報を記録するためのタイミング信号を発生し、発生したタイミング信号を、記録データ生成部１８に出力する。また、タイミング発生部１７は、ＣＰＵ１１の制御のもと、記録ヘッド２０の位置を、半径方向への移動を禁止するタイミング信号を発生し、発生したタイミング信号を、位置制御部２１に出力する。
【００５２】
記録データ生成部１８は、ＣＰＵ１１の制御のもと、サーボ情報、ＩＤ情報、またはタイトル情報の記録データを生成し、タイミング発生部１７からのタイミング信号に応じて、生成された記録データを、記録アンプ１９に供給する。記録アンプ１９は、ＣＰＵ１１の制御に応じた強さの記録電流を設定し、記録ヘッド２０を制御し、設定された強さの記録電流で、記録データ生成部１７からの記録データを磁気ディスク２に記録させる。記録ヘッド２０は、磁気ディスク２上の、駆動部２２により決められた位置に、記録アンプ１９からの記録データを記録する。
【００５３】
位置制御部２１は、磁気ディスク２が１周分回転すると、駆動部２２を制御し、記録ヘッド２０を、１データトラックの１／３だけ半径方向に移動させる。すなわち、位置制御部２１は、トラックの１／３の分解能でサーボ情報が記録されるように、記録ヘッド２０の位置を制御している。また、位置制御部２１は、タイミング発生部１７からタイミング信号を入力した場合、駆動部２２を制御し、記録ヘッド２０の位置を、半径方向に移動させることを禁止する。すなわち、位置制御部２１は、タイミング発生部１７からタイミング信号を入力すると、駆動部２２を制御し、記録ヘッド２０の位置を、再度、同じトラック上の位置（半径方向に同じ位置）に決定させる。駆動部２２は、位置制御部２１の制御のもと、記録ヘッド２０を移動し、記録ヘッド２０の位置を、所定のトラック上の位置に決定する。
【００５４】
図２は、磁気ディスク２の構成例を表している。図２の例において、磁気ディスク２は、サーボゾーン１０１（図中、ハッチング部分）、および、データゾーン１０２が交互に配置されて構成されている。また、磁気ディスク２において、図示は省略するが、例えば、最外周のトラックは、クロック専用トラックとされ、クロック専用トラックには、サーボ情報を記録する際に、基準となるクロックが記録されている。
【００５５】
サーボゾーン１０１は、記録再生を行うヘッドを磁気ディスク２の所定の位置に位置決めするための、様々なマークやパターンなどからなるサーボ情報が記録されている領域である。このサーボ情報は、記録装置１により予め記録され、磁気ディスク２が装着、あるいは組み込まれた、例えば、パーソナルコンピュータからなる、後述する図８の記録再生装置２０１などにより、読み出され、データの書き込みや再生を行う際に利用される。なお、図２の例においては、説明の便宜上、サーボゾーン１０１の数が実際よりも少なく示されているが、実際には、ディスク１周あたり、数十から数百のサーボゾーン１０１が生成される。
【００５６】
データゾーン１０２は、記録再生装置２０１がコンテンツなどのデータを記録することができる領域である。このデータゾーン１０２の所定の領域には、磁気ディスク２を識別するためのＩＤ(Identify)情報、およびタイトル情報が、記録装置１により予め多重に記録されている。このＩＤ情報は、磁気ディスク２が正規のものであることを示す固有の情報でもあり、記録再生装置２０１により読み出され、例えば、ネットワーク上のサーバから、著作権保護が必要なコンテンツを視聴したり、データゾーン１０２に記録するために用いられる。
【００５７】
以上のように、磁気ディスク２は、サーボゾーン１０１にサーボ情報が予め記録され、データゾーン１０２の所定の領域にＩＤ情報およびタイトル情報が予め多重に記録されている状態で、記録再生装置２０１などに組み込まれ、図１４を参照して後述するように、再生され、利用される。
【００５８】
図３は、サーボゾーン１０１の詳細な構成を示している。図３の例において、データゾーン１０２には、複数のトラック１２１が示されており、点線は、トラック１２１の中心を表している。
【００５９】
サーボゾーン１０１には、サーボ情報として、シーク動作時などにおける粗い位置決めのサーボ信号生成に使用されるトラックアドレス１２２、データゾーン１０２にデータを記録する際に基準となるクロックの生成に用いられるクロックマーク１２３、並びにオントラック状態を保持するなどの細かい位置決めのサーボ信号生成に使用される、Ａ，Ｂ，Ｘ，およびＹからなるファインシグナル１２４が記録されている。
【００６０】
なお、ディスク１周あたり、数十乃至数百のサーボゾーン１０１が生成されるが、そのうちの少なくとも１つのサーボゾーン１０１のトラックアドレス１２２を記録する領域には、ディスクの周方向の基準点（以下、ホームインデックスと称する）を示す特殊なパターンが記録されている。このパターンは、他のトラックアドレスとして表現される値とは異なるパターンであり、磁気ディスク２に情報を記録する記録再生装置２０１は、このパターンを再生することにより求められる、ホームインデックスからのサーボゾーン数をカウントすることにより、周方向の位置を特定することができる。
【００６１】
記録装置１は、以上のように構成されるサーボ情報をサーボゾーン１０１に予め記録する。すなわち、記録装置１は、例えば、１データトラックの１／３だけ半径方向にずらしながら、トラックの１／３の分解能でサーボ情報を記録する。具体的には、位置制御部２１は、まず１周分のサーボ情報を記録した後、記録ヘッド２０を１／３トラックだけ半径方向に移動させる。そして、タイミング発生部１７は、クロック生成部１６からのクロックに基づいて、記録ヘッド２０で、直前に記録したときと同じタイミングで次のパターンを記録する作業を、全半径に渡って行わせる。これにより、磁気ディスク２のサーボゾーン１０１には、必要なサーボ情報が記録される。
【００６２】
さらに、このとき、記録装置１は、ある特定のトラック（例えば、最内周トラック）上においては、サーボゾーン１０１にサーボ情報を記録するだけでなく、データゾーン１０２の所定の領域に、ＩＤ情報を記録し、次の周回では、その同じ領域に、ＩＤ情報以外の情報であるタイトル情報を重ねて記録する。
【００６３】
これを具体的に説明する。タイミング発生部１７は、クロック生成部１６からのクロックに基づいて、通常の記録電流を用いて、最内周トラック上の最初の周回において、サーボゾーン１１にサーボ情報の記録データを記録させ、所定のサーボゾーン１０１の後に続くデータゾーン１０２の所定の領域に、ＩＤ情報の記録データを記録させる。最初の周回における１周分のサーボ情報の記録が終了した後、タイミング発生部１７は、次の周回において、位置制御部２１に、記録ヘッド２０の半径方向の移動を禁止させ、再度、同じ最内周トラック上において、データゾーン１０２の所定の領域に、最初の周回よりも弱い記録電流を用いて、記録ヘッド２０に、タイトル情報の記録データを記録させる。すなわち、次の周回においては、サーボゾーン１０１へのサーボ情報の記録が行われないが、データゾーン１０２のＩＤ情報がすでに記録された所定の領域に、通常よりも弱い記録電流で、タイトル情報の記録データが重ねて記録される。
【００６４】
なお、ＩＤ情報は、磁気ディスク２上の傷などによって再生できなくなることを防ぐため、１つの領域だけでなく、複数の異なる領域に記録されるようにしてもよい。この場合、ＩＰ情報は、例えば、磁気ディスク２の異なる面や、同じ面の内周と外周などの複数個所の領域に記録される。
【００６５】
次に、図４を参照して、記録電流の大きさについて説明する。図４は、記録電流とオードーライト特性の関係を表すグラフである。図４の例において、縦軸は、オーバーライト特性、すなわち、同じ領域に、２つの任意の情報の記録データが重ねて記録されたときの、１回目に記録された情報の再生振幅の大きさ（ｄＢ（デシベル））を表しており、横軸は、２回目の記録データを記録する際の記録電流の大きさ（ｍＡ（ミリアンペア））を表している。
【００６６】
図４の例においては、２回目に記録データを５ｍＡの記録電流で記録した場合、１回目に記録された情報の再生振幅は、−１０ｄＢの大きさになることが示されており、２回目に記録データを８ｍＡの記録電流で記録した場合、１回目に記録された情報の再生振幅は、−１５ｄＢの大きさになることが示されており、２回目に記録データを１０ｍＡの記録電流で記録した場合、１回目に記録された情報の再生振幅は、−２０ｄＢの大きさになることが示されている。
【００６７】
また、２回目に記録データを１５ｍＡの記録電流で記録した場合、１回目に記録された情報の再生振幅は、−３０ｄＢの大きさになることが示されており、２回目に記録データを１５ｍＡの記録電流で記録した場合、１回目に記録された情報の再生振幅は、−３０ｄＢの大きさになることが示されており、２回目に記録データを２０乃至４０ｍＡの記録電流で記録した場合、１回目に記録された情報の再生振幅は、略−３５ｄＢの大きさになることが示されている。
【００６８】
通常の磁気記録、すなわち、すでに１回目の情報が記録されている上から、２回目に新たな情報の記録データを記録する場合、一般の記録装置は、１回目に記録された情報の再生振幅を−３０ｄＢ以下にして、１回目に記録された情報に、新たな情報の記録データを十分に上書きする（すなわち、１回目に記録された情報は十分消去される）必要がある。したがって、通常の磁気記録においては、記録電流は、１回目に記録された情報の再生振幅を−３０ｄＢ以下になるように、２５ｍＡ以上に設定される。
【００６９】
これに対して、１回目に記録された情報の再生振幅が−３０ｄＢよりも大きくなるように、２回目に記録するときの記録電流の大きさを設定することにより、１回目に記録された情報は、記録媒体上に、ある程度残されるため、再生が可能となる。すなわち、例えば、２回目に記録するときの記録電流の大きさを１０ｍＡに設定すれば、１回目に記録された情報は、−２０ｄＢの大きさで再生される。
【００７０】
以上のように、記録装置１においては、データゾーン１０２のＩＤ情報がすでに記録された所定の領域に、タイトル情報の記録データを重ねて記録し、その両方の情報を再生させる（活かす）ために、最初の周回において、サーボ情報やＩＤ情報を記録する際には、略２５ｍＡ以上の記録電流を用いて記録するように設定され、次の周回において、ＩＤ情報が記録済みの領域に、タイトル情報の記録データを重ねて記録する際には、例えば、１０ｍＡの記録電流を用いて記録するように設定される。
【００７１】
図５を参照して、複数の情報が重ねて記録されているデータゾーン１０２の所定の領域を再生した場合の再生信号波形を説明する。図５の例においては、データゾーン１０２の所定の領域に、通常の記録電流（たとえば、２５ｍＡ）で、１回目に記録されたＩＤ情報の磁気ディスク２上の記録パターン１５１と、同じ領域に、弱い記録電流（例えば、１０ｍＡ）で、２回目に重ねて記録されたタイトル情報の磁気ディスク２上の記録パターン１５２が表されており、記録パターン１５１および１５２上の矢印は、Ｎ極乃至Ｓ極への磁化の向きを示している。
【００７２】
磁気ディスク２においては、情報は、磁化の向きを遷移することにより記録されている。したがって、記録パターン１５１のＩＤ情報は、磁化の向きがＳ極乃至Ｎ極の向きからＮ極乃至Ｓ極に遷移する磁化遷移点ａ１、および、磁化の向きがＮ極乃至Ｓ極からＳ極乃至Ｎ極の向きに遷移する磁化遷移点ｂ１に記録されている。一方、記録パターン１５２のタイトル情報は、記録パターン１５１の磁化遷移点ａ１およびｂ１が存在しない位置（位相）である、磁化の向きがＮ極乃至Ｓ極からＳ極乃至Ｎ極の向きに遷移する磁化遷移点ａ２、および、磁化の向きがＳ極乃至Ｎ極の向きからＮ極乃至Ｓ極に遷移する磁化遷移点ｂ２に記録されている。
【００７３】
以上のように、記録パターン１５１が記録され、その上に、記録パターン１５２が重ねて記録されている所定の領域が再生されると、その再生信号は、再生信号波形１６１に示されるように、記録パターン１５２の磁化遷移点ａ２およびｂ２が対応する点Ａ２およびＢ２の振幅は大きく、記録パターン１５１の磁化遷移点ａ１およびｂ１が対応する点Ａ１および点Ｂ１の振幅が小さい波形で表される（点Ａ１および点Ｂ１の振幅は、点Ａ２およびＢ２の振幅の、略１／１０である）。
【００７４】
なお、記録装置１においては、１回目に記録する記録データの磁化遷移点が存在する位相（時刻）は、予め設定されており、記録データを２回目に記録する場合、１回目の磁化遷移点の存在する位相（すなわち、１回目の情報が記録される位相）には、磁化反転が起きないように、すなわち、情報が書き込まれないように、両方の位相が管理されて、２回目の記録データが記録されるため、点Ａ１および点Ｂ１における振幅と、点Ａ２および点Ｂ２における振幅は重なることはない。したがって、再生時には、これらの記録パターン１５１の信号と記録パターン１５２の信号は、分離され、それぞれ再生される。
【００７５】
これに対して、通常のパーソナルコンピュータ（例えば、図８の記録再生装置２０１）などにおいて、このような位相制御は、厳密に管理されていない。したがって、記録再生装置２０１でＩＤ情報とタイトル情報を多重に記録しようとしても、例えば、磁化遷移点が近づいてしまったり、重なってしまったりしてしまい、記録再生装置２０１が再生する際に、記録パターン１５１の信号と記録パターン１５２の信号がうまく分離できず、再生することが困難となる。以上により、記録再生装置２０１などにおいては、位相を精度よく制御して記録を行うことが不可能であるため、同じ領域に多重に記録されたＩＤ情報とタイトル情報を簡単に書き換えられることが抑制される。
【００７６】
次に、図６のフローチャートを参照して、記録装置１の記録処理を詳しく説明する。記録装置１に、磁気ディスク２が装着されると、図示せぬ回転制御部は、磁気ディスク２を回転させる。再生ヘッド１４は、磁気ディスク２の、例えば、最外周などに設けられたクロック専用トラックに記録されているクロックの再生信号を読み出し、読み出した再生信号を、再生アンプ１５に出力する。再生アンプ１５は、再生ヘッド１４からの再生信号を増幅し、増幅した再生信号を、クロック生成部１６に出力する。
【００７７】
クロック生成部１６は、ステップＳ１において、再生アンプ１５からの再生信号から、クロック（同期信号）を生成し、生成したクロックを、タイミング発生部１７に出力し、ステップＳ２に進む。ステップＳ２において、位置制御部２１は、駆動部２２を制御し、記録ヘッドを移動させ、磁気ディスク２の所定のトラックの１／３の位置に記録ヘッド２０の位置を決定させ、ステップＳ３に進む。
【００７８】
記録装置１においては、上述したように、サーボ情報を記録する位相と、ＩＤ情報およびタイトル情報を記録するトラック、トラック上の所定の領域、並びに位相などが予め設定されており、ＣＰＵ１１は、それらの情報を、タイミング発生部１７に供給している。タイミング発生部１７は、ステップＳ３において、記録ヘッド２０が位置されているトラック、すなわち、いまサーボ情報を記録するトラックの所定のデータゾーンに、ＩＤ情報を記録するか否かを判定する。
【００７９】
ステップＳ３において、タイミング発生部１７は、記録ヘッド２０が位置されているトラックの所定のデータゾーンに、ＩＤ情報を記録すると判定した場合、ステップＳ４に進み、ＩＤ情報記録処理を実行し、ステップＳ７に進む。なお、このＩＤ情報記録処理は、図７を参照して詳しく後述するが、このＩＤ情報記録処理により、トラック１周分のサーボゾーンには、サーボ情報が記録され、トラックの所定のデータゾーンの所定の領域には、ＩＤ情報とタイトル情報とが重ねて記録される。
【００８０】
タイミング発生部１７は、ステップＳ３において、記録ヘッド２０が位置されているトラックの所定のデータゾーンに、ＩＤ情報を記録しないと判定した場合、ステップＳ５に進み、クロック生成部１６からのクロックに基づいて、磁気ディスク２のサーボゾーンにサーボ情報を記録させ、ステップＳ６に進む。具体的には、タイミング発生部１７は、サーボ情報を記録するためのタイミング信号を発生し、発生したタイミング信号を、ＣＰＵ１１および記録データ生成部１８に出力する。記録データ生成部１８は、ＣＰＵ１１の制御のもと、サーボ情報の記録データを生成し、タイミング発生部１７からのタイミング信号に応じて、生成された記録データを、記録アンプ１９に供給する。記録アンプ１９は、通常記録する強さの記録電流に予め設定されている。記録アンプ１９は、記録ヘッド２０を制御し、設定されている通常の記録電流で、記録データ生成部１７からの記録データを磁気ディスク２に記録させる。記録ヘッド２０は、磁気ディスク２上の、駆動部２２により決められた位置に、記録アンプ１９からの記録データを記録する。
【００８１】
タイミング発生部１７は、ステップＳ６において、磁気ディスク２の１周分のサーボゾーンにサーボ情報を記録したか否かを判定し、まだ、１周分のサーボゾーンにサーボ情報を記録していないと判定した場合、ステップＳ５に戻り、それ以降の処理を繰り返す。タイミング発生部１７は、ステップＳ６において、１周分のサーボゾーンにサーボ情報を記録したと判定した場合、ステップＳ７に進み、磁気ディスク２上のすべてのサーボ情報を記録したか否かを判定する。タイミング発生部１７は、ステップＳ７において、磁気ディスク２上のすべてのサーボ情報を記録していないと判定した場合、ステップＳ２に戻り、それ以降の処理を繰り返す。すなわち、タイミング発生部１７は、ステップＳ２において、位置制御部２１を制御し、記録ヘッド２０を１／３トラックだけ半径方向に移動させ、１／３トラックだけ移動した位置で、それ以降の処理を繰り返す。
【００８２】
タイミング発生部１７は、ステップＳ７において、磁気ディスク２上のすべてのサーボ情報を記録したと判定した場合、記録処理を終了する。
【００８３】
以上のように、トラックの１／３の位置において、サーボゾーン１０１に１周分のサーボ情報を記録した後、記録ヘッド２０を１／３トラックだけ半径方向に移動させ、クロック生成部１６からのクロックに基づいて、直前に記録したときと同じタイミングで次のパターンを記録する処理が、全半径に渡って実行される。これにより、磁気ディスク２のサーボゾーン１０１には、必要なサーボ情報が記録される。
【００８４】
次に、図７のフローチャートを参照して、図６のステップＳ４のＩＤ情報記録処理を説明する。
【００８５】
タイミング発生部１７は、ステップＳ２１において、クロック生成部１６からのクロックに基づいて、磁気ディスク２のサーボゾーンにサーボ情報を記録させ、ステップＳ２２に進む。具体的には、タイミング発生部１７は、サーボ情報を記録するためのタイミング信号を発生し、発生したタイミング信号を、ＣＰＵ１１および記録データ生成部１８に出力する。記録データ生成部１８は、ＣＰＵ１１の制御のもと、サーボ情報の記録データを生成し、タイミング発生部１７からのタイミング信号に応じて、生成された記録データを、記録アンプ１９に供給する。記録アンプ１９は、通常記録する強さの記録電流に予め設定されている。記録アンプ１９は、記録ヘッド２０を制御し、設定されている通常の記録電流で、記録データ生成部１７からの記録データを磁気ディスク２に記録させる。記録ヘッド２０は、磁気ディスク２上の、駆動部２２により決められたトラックの位置に、記録アンプ１９からの記録データを記録する。
【００８６】
図２を参照して上述したように、磁気ディスク２には、サーボゾーンとデータゾーンが交互に配置されている。タイミング発生部１７は、ステップＳ２２において、このサーボゾーンの後に続くデータゾーンが、ＩＤ情報を記録するデータゾーンか否かを判定し、このサーボゾーンの後に続くデータゾーンが、ＩＤ情報を記録するデータゾーンであると判定した場合、ステップＳ２３に進み、クロックに基づいて、データゾーンの所定の領域に、ＩＤ情報を記録させ、ステップＳ２４に進む。
【００８７】
具体的には、タイミング発生部１７は、クロック生成部１６からのクロックに基づいて、予め設定されているＩＤ情報の位相のタイミングで、ＩＤ情報を記録するためのタイミング信号を発生し、発生したタイミング信号を、ＣＰＵ１１および記録データ生成部１８に出力する。記録データ生成部１８は、ＣＰＵ１１の制御のもと、ＩＤ情報の記録データを生成し、タイミング発生部１７からのタイミング信号に応じて、生成された記録データを、記録アンプ１９に供給する。記録アンプ１９は、記録ヘッド２０を制御し、設定されている通常の記録電流で、記録データ生成部１７からの記録データを磁気ディスク２に記録させる。記録ヘッド２０は、磁気ディスク２上の、駆動部２２により決められた位置に、記録アンプ１９からの記録データを記録する。これにより、所定の領域にＩＤ情報が飽和記録される。
【００８８】
タイミング発生部１７は、ステップＳ２２において、このサーボゾーンの後に続くデータゾーンが、ＩＤ情報を記録するデータゾーンではないと判定した場合、ステップＳ２３をスキップし、ステップＳ２４に進む。
【００８９】
タイミング発生部１７は、ステップＳ２４において、磁気ディスク２の１周分のサーボゾーンにサーボ情報を記録したか否かを判定し、まだ、１周分のサーボゾーンにサーボ情報を記録していないと判定した場合、ステップＳ２１に戻り、それ以降の処理を繰り返す。タイミング発生部１７は、ステップＳ２４において、１周分のサーボゾーンにサーボ情報を記録したと判定した場合、ステップＳ２５に進み、位置制御部２１を制御し、駆動部２２に、記録ヘッド２０の位置を、半径方向に移動させることを禁止し、ステップＳ２６に進む。すなわち、位置制御部２１は、タイミング発生部１７からタイミング信号を入力すると、駆動部２２を制御し、記録ヘッド２０の位置を、再度、同じトラック上に決定させる。駆動部２２は、位置制御部２１の制御のもと、記録ヘッド２０を移動し、記録ヘッド２０の位置を、所定のトラック上の位置に決定する。また、このとき、タイミング信号は、ＣＰＵ１１にも入力される。
【００９０】
ＣＰＵ１１は、タイミング発生部１７からのタイミング信号を入力すると、ＩＤ情報の上に、タイトル情報を二重に記録するとし、ステップＳ２６において、記録アンプ１９を制御し、弱い記録電流（例えば、１０ｍＡ）に切り替えさせ、ステップＳ２７に進む。
【００９１】
タイミング発生部１７は、ステップＳ２７において、クロック生成部１６からのクロックに基づいて、ＩＤ情報がすでに記録されているデータゾーンの所定の領域に、１０ｍＡの記録電流で、タイトル情報の記録データを記録させ、ステップＳ２８に進む。具体的には、タイミング発生部１７は、クロック生成部１６からのクロックに基づいて、データゾーンの所定の領域を決定し、予め位相が重ならないように設定されたタイミングで、ＩＤ情報に上書きするタイトル情報を記録するためのタイミング信号を発生し、発生したタイミング信号を、ＣＰＵ１１および記録データ生成部１８に出力する。記録データ生成部１８は、ＣＰＵ１１の制御のもと、ＩＤ情報に上書きするタイトル情報の記録データを生成し、タイミング発生部１７からのタイミング信号に応じて、生成された記録データを、記録アンプ１９に供給する。記録アンプ１９は、ステップＳ２６において弱い記録電流に切り替えている。記録アンプ１９は、記録ヘッド２０を制御し、切り替えられた弱い記録電流で、記録データ生成部１７からの記録データを磁気ディスク２に記録させる。記録ヘッド２０は、磁気ディスク２上の、駆動部２２により決められた位置に、記録アンプ１９からの記録データを記録する。これにより、前回の周回で記録されたＩＤ情報が半ば消えた状態になる。
【００９２】
タイミング発生部１７は、ステップＳ２８において、トラック上の設定されたすべての所定の領域にＩＤ情報とタイトル情報とが重ねて記録されたか否かを判定し、すなわち、トラック上の設定されたすべての所定の領域にデータが二重に記録されたか否かを判定し、まだ、トラック上の設定されたすべての所定の領域にＩＤ情報とタイトル情報とが重ねて記録されていないと判定された場合、ステップＳ２１に戻り、それ以降の処理を繰り返す。タイミング発生部１７は、ステップＳ２８において、トラック上の設定されたすべての所定の領域にＩＤ情報とタイトル情報とが重ねて記録されたと判定した場合、ステップＳ２９に進み、ＣＰＵ１１に、記録アンプ１９の記録電流を元に戻させ、ＩＤ情報記録処理を終了し、図６のステップＳ７に戻る。
【００９３】
以上のように、所定の領域に、記録位相（タイミング）が重ならないように、通常の記録電流で、ＩＤ情報の記録データを記録（飽和記録）し、ＩＤ情報を記録した上から、通常の記録電流よりも弱い記録電流で、タイトル情報の記録データを記録するようにしたので、磁気ディスク２に、ＩＤ情報とタイトル情報の記録位相が重なることなく、ＩＤ情報とタイトル情報を多重に記録することができる。これにより、磁気ディスク２から情報を再生する記録再生装置は、ＩＤ情報とタイトル情報を分離して、それぞれ再生することができる。
【００９４】
また、悪意のある第３者が、パーソナルコンピュータなどの汎用の記録再生装置を用いて、磁気ディスク２のデータゾーンに記録されているＩＤ情報を改竄しようとしても、汎用の記録再生装置などにおいては、このように位相が精度よく制御された記録を行うことが困難であるため、ユーザによるＩＤ情報の書き換えを抑制することができる。
【００９５】
図８は、本発明を適用した記録再生装置２０１の構成例を表している。記録再生装置２０１には、図１の記録装置１により各情報（サーボ情報、ＩＤ情報、およびタイトル情報）が予め記録された磁気ディスク２が組み込まれ、内蔵されている。なお、図８において、図１における場合と対応する部分には対応する符号を付してあり、その説明は繰り返しになるので省略する。
【００９６】
記録再生装置２０１は、例えば、パーソナルコンピュータなどの汎用の情報処理装置により構成され、内蔵する磁気ディスク２から、データを読み出したり、磁気ディスク２のデータゾーン１０２にデータを記録する処理を行う。具体的には、記録再生装置２０１は、例えば、内蔵する磁気ディスク２のサーボゾーン１０１からのサーボ情報を読み出し、サーボ情報に基づいて、データゾーン１０２に記録されているＩＤ情報を読み出し、ＩＤ情報を用いて、例えば、図示せぬネットワーク上のサーバから知的財産保護が必要なコンテンツなどを取得し、取得されたコンテンツのデータを記録する処理を行う。
【００９７】
図８の例において、ハードディスクコントローラ１２には、位置制御部２１５、タイミング発生部２１９、ＩＤ検出部２２０、データ復調部２２１、および記録データ生成部２２２が接続されている。ＣＰＵ１１は、ハードディスクコントローラ１２を介して、ホストコンピュータなどからバッファＲＡＭ１３にロードされたプログラムに従って、等化器２１３、位置制御部２１５、タイミング発生部２１９、および記録データ生成部２２２を制御し、磁気ディスク２に所定のデータを記録したり、磁気ディスク２から所定のデータを読み出させる処理を実行させる。また、ＣＰＵ１１は、ハードディスクコントローラ１２を介して、ＩＤ検出部２２０またはデータ復調部２２１からの各データを、ホストコンピュータに供給する。
【００９８】
ヘッド２１１は、再生アンプ２１２からの制御のもと、磁気ディスク２上の、駆動部２１６により決められた位置から、信号を読み出し、読み出された再生信号を、再生アンプ２１２に供給する。また、ヘッド２１１は、記録アンプ２２３からの制御のもと、磁気ディスク２上の、駆動部２１６により決められた位置に、記録アンプ２２３からの記録データを記録する。再生アンプ２１２は、タイミング発生部２１９からの制御のもと、ヘッド２１１の処理を再生処理に切り替え、ヘッド２１１からの再生信号を増幅し、増幅した再生信号を、等化器２１３に供給する。
【００９９】
等化器２１３は、磁気ディスク２に記録されているＩＤ情報およびＩＤ情報以外の情報（タイトル情報）を再生するために、所定の周波数の信号成分を増幅するように設定されたＩＤ兼用フィルタと、磁気ディスク２に記録されているＩＤ情報以外の情報を再生するために、所定の周波数の信号成分を増幅するように設定されたデータ用フィルタの２種類のフィルタを有している。等化器２１３は、初期値として、データ用フィルタを用いるように設定されており、データ用フィルタを用いて、所定の周波数の信号成分を増幅して、再生アンプ２１２からの再生信号の波形を等化し、波形が等化された再生信号を、Ａ／Ｄ(Analog/Digital)変換部２１４に供給する。また、等化器２１３は、ＣＰＵ１１の制御のもと、使用するフィルタを、データ用フィルタから、ＩＤ兼用フィルタに切り替え、切り替えたフィルタを用いて、所定の周波数の信号成分を増幅して、再生アンプ２１２からの再生信号の波形を等化し、波形が等化された再生信号を、Ａ／Ｄ変換部２１４に供給する。なお、等化器２１３には、クロック検出部２１８からのクロックが入力されており、等化器２１３は、入力されるクロックに基づいて、使用するフィルタにおいて設定されている所定の周波数を再生転送速度に合わせて変更している。
【０１００】
Ａ／Ｄ変換部２１４は、等化器２１３からのアナログの再生信号を、デジタル信号に変換し、変換したデジタル信号を、位置制御部２１５、アドレス検出部２１７、クロック検出部２１８、ＩＤ検出部２２０、およびデータ復調部２２１に供給する。位置制御部２１５は、Ａ／Ｄ変換部２１４からのデジタル信号から、トラッキングサーボ信号を検出する。また、位置制御部２１５は、ＣＰＵ１１からの制御、または、検出されたトラッキングサーボ信号に基づいて、ヘッド２１１の位置を決め、駆動部２１６を制御し、決めた位置に、ヘッド２１１を移動させる。駆動部２１６は、位置制御部２１５の制御のもと、ヘッド２１１を移動し、ヘッド２１１の位置を決定する。
【０１０１】
アドレス検出部２１７は、Ａ／Ｄ変換部２１４からのデジタル信号から、ヘッド２１１の半径方向の位置と周方向の位置を検出し、検出した半径方向の位置と周方向の位置を、タイミング発生部２１９に供給する。クロック検出部２１８は、Ａ／Ｄ変換部２１４からのデジタル信号から、クロックを検出し、検出したクロックを、タイミング発生部２１９および等化器２１３に供給する。
【０１０２】
タイミング発生部２１９は、ＣＰＵ１１からの情報（データ）の読み出し命令または書き込み命令に応じて、再生アンプ２１２および記録アンプ２２３を制御し、ヘッド２１１の再生、または記録処理を切り替えさせる。タイミング発生部２１９は、ＣＰＵ１１からデータの読み出し命令とともにそのアドレスが入力されると、クロック検出部２１８からのクロックおよびアドレス検出部２１７からのヘッド２１１の半径方向の位置と周方向の位置に基づいて、ヘッド２１１によりデータが読み出されるタイミングを特定し、特定したタイミング信号を、データ復調部２２１およびＣＰＵ１１に供給する。タイミング発生部２１９は、読み出されるデータがＩＤ情報であった場合には、特定したタイミング信号を、ＩＤ検出部２２０にも供給する。
【０１０３】
また、タイミング発生部２１９は、ＣＰＵ１１から情報（データ）の書き込み命令とともにそのアドレスが入力されると、クロック検出部２１８からのクロックおよびアドレス検出部２１７からのヘッド２１１の半径方向の位置と周方向の位置に基づいて、データを書き込むタイミングを特定し、特定したタイミング信号を、記録データ生成部２２２およびＣＰＵ１１に供給する。
【０１０４】
ＩＤ検出部２２０は、タイミング発生部２１９からのタイミング信号に基づいて、Ａ／Ｄ変換部２１４からのデジタル信号から、ＩＤ情報を検出し、検出したＩＤ情報を、ハードディスクコントローラ１２を介して、ホストコンピュータに出力する。これにより、ホストコンピュータには、磁気ディスク２のＩＤ情報が入力されるので、ホストコンピュータは、そのＩＤ情報を、例えば、図示せぬネットワーク上のサーバなどに送信し、照合などをすることにより、サーバからコンテンツの配信を受けることができたり、サーバから配信されたコンテンツの視聴などを実行することができる。すなわち、磁気ディスク２のＩＤ情報は、サーバが配信する知的財産保護が必要なコンテンツの記録や視聴するためなどの、磁気ディスク２の識別に利用される。
【０１０５】
データ復調部２２１は、タイミング発生部２１９からのタイミング信号に基づいて、Ａ／Ｄ変換部２１４からのデジタル信号から、タイトル情報やその他の情報のデータを検出し、検出したデータを復調して、ハードディスクコントローラ１２を介して、ホストコンピュータに出力する。これにより、ホストコンピュータは、図示せぬモニタなどに、データに基づいた画像を表示させる。
【０１０６】
記録データ生成部２２２は、ＣＰＵ１１からのデータの書き込み命令に基づいて、記録データを生成し、生成した記録データを、タイミング発生部２１９からのタイミング信号に基づいて、記録アンプ２２３に供給する。記録アンプ２２３は、ヘッド２１１を制御し、記録データ生成部２２２からの記録データを、磁気ディスク２に記録させる。
【０１０７】
図９乃至図１１を参照して、等化器２１３の等化器特性を説明する。なお、図９乃至図１１の例においては、横軸が周波数（Ｈｚ）、縦軸が信号強度（ｄＢ）を表している。また、図中下の波形は、再生信号の周波数特性（再生信号特性）を表しており、図中上の波形は、各再生信号を良好に再生するために等化器２１３により増幅された再生信号の周波数特性（等化器特性）を表している。すなわち、図９乃至図１１に示される再生信号特性を有する再生信号は、等化器２１３により、各図の等化器特性を有する再生信号に波形等化されるものである。
【０１０８】
図９は、通常のデータの再生信号特性および等化器特性の例を示している。通常のデータ（例えば、タイトル情報や画像データなどＩＤ情報以外のデータ）の再生信号は、例えば、記録再生装置２０１などにより磁気ディスク２のデータゾーン１０２に記録されたデータを再生することにより得られ、その特性は、周波数が高い信号成分の信号強度がだんだん弱くなる傾向を有する。
【０１０９】
したがって、通常、等化器２１３は、通常データの再生信号を良好に再生するために、再生信号の周波数特性が、信号強度が弱くなるあたりの周波数（例えば、周波数Ｃ）の信号強度ｃ１が信号強度ｃ２に持ち上げられるような、等化器特性になるように、再生信号を、周波数Ｃの信号成分を中心に増幅した波形に等化する。
【０１１０】
図１０は、ＩＤ情報の再生信号特性および等化器特性の例を示している。ＩＤ情報は、図５を参照して上述したように、予め設定された位相（時刻）にのみ情報が存在するように記録されるため、ある特定の周波数の信号成分を持った情報となる。すなわち、ＩＤ情報の再生信号は、ある特定の周波数（例えば、周波数Ｄ）の信号強度ｄ１が最も強く再生される傾向を有する。
【０１１１】
したがって、このような特性を有するＩＤ情報の再生信号を良好に再生するために、等化器２１３は、再生信号の周波数特性が、周波数Ｄの信号強度ｄ１が信号強度ｄ２に持ち上げられるような等化器特性になるように、再生信号を、周波数Ｄの信号成分を中心に増幅した波形に等化する。
【０１１２】
しかしながら、実際には、記録再生装置２０１においては、所定の領域に多重に記録されたＩＤ情報およびタイトル情報（通常データ）が再生されると、図９および図１０の再生信号特性を有する再生信号が重なった状態で再生される。ここで、複数の信号が重なった再生信号を同時に再生するために、それぞれの再生信号特性にあった等化器を複数用いるようにすると、回路は、複雑になってしまう。そこで、等化器２１３は、２つの信号が重なった再生信号を同時に再生するために、図１１に示されるような等化器特性になるように、再生信号の波形を等化する。
【０１１３】
図１１は、２つの信号が重なった再生信号に対応した再生信号特性および等化器特性の例を示している。重なって記録されたＩＤ情報およびタイトル情報を再生した再生信号の再生信号特性は、ある特定の周波数（例えば、周波数Ｄ）の信号強度ｄ１が最も強く再生される傾向と、周波数が高い信号成分の信号強度がだんだん弱くなる傾向の２つの傾向を有する。
【０１１４】
そこで、ＩＤ情報および通常のデータの再生信号を良好に再生するために、等化器２１３は、再生信号の周波数特性が、周波数Ｄの信号強度ｄ１が信号強度ｄ２に持ち上げられ、かつ、信号強度が弱くなる周波数（例えば、周波数Ｃ）の信号強度ｃ１が信号強度ｃ２に持ち上げられるような等化器特性になるように、再生信号を、周波数Ｅの信号成分を中心に増幅した波形に等化する。すなわち、等化器２１３は、周波数Ｃおよび周波数Ｄの略中間の周波数Ｅの信号強度ｅ１が、信号強度ｅ２に持ち上げられる等化器特性になるように、再生信号を、周波数Ｅの信号成分を中心に増幅した波形に等化する。なお、周波数Ｅは、周波数Ｃおよび周波数Ｄの両方が良好に再生される信号強度に増幅されるように設定された周波数であればよく、その周波数が、周波数Ｃと周波数Ｄの中間付近になることが多いため、略中間の周波数として説明したが、丁度中間の周波数になることもある。
【０１１５】
したがって、記録再生装置２０１の等化器２１３においては、通常の場合（すなわち、記録再生装置２０１などにより磁気ディスク２のデータゾーン１０２に記録されたデータを再生する場合）には、再生信号が図９の等化器特性を有するように設定されたデータ用フィルタが用いられるが、２つの信号（ＩＤ情報とタイトル情報）が重なった再生信号が再生される場合には、データ用フィルタから、再生信号が図１１の等化器特性を有するように設定されたフィルタであるＩＤ兼用フィルタに切り替えられ、切り替えられたＩＤ兼用フィルタが、ＩＤ情報とタイトル情報の再生信号の波形等化に用いられる。
【０１１６】
以上のように、２つの信号が重なっていても、２つの信号それぞれの再生を良好にする各周波数の信号成分が増幅されるので、同時に再生することが可能である。また、重なった２つの信号を同時に再生する場合、データ用フィルタと、ＩＤ情報専用のフィルタを別々に使う必要がないため、回路が複雑になることが抑制される。
【０１１７】
図１２は、ＩＤ兼用フィルタを用いて得られる再生信号の等化器特性を表すグラフを示している。
【０１１８】
図１２の例において、横軸は、周波数（×１０７Ｈｚ）を表している。図中上の信号強度グラフ２５１は、再生信号の信号強度特性を示すものであり、その縦軸は、再生信号の信号強度（ｄＢ）を表している。また、図中下の位相グラフ２５２は、再生信号の位相特性を示すものであり、その縦軸は、再生信号の位相（ｄｅｇ）を表している。また、これらのグラフにおいて、周波数Ｆは、通常データ（タイトル情報）およびＩＤ情報の再生信号を良好に再生するために持ち上げられる信号成分の周波数を示しており、周波数Ｇは、通常データの再生信号を良好に再生するために持ち上げる信号成分の周波数を示している。なお、ＩＤ兼用フィルタであるため、実際には、ＩＤ情報を良好に再生することも、もちろん考慮されているが、図１２の例においては、説明の便宜上省略する。
【０１１９】
図１２の信号強度グラフ２５１は、再生信号の周波数が、周波数Ｆ（約４．７（×１０７Ｈｚ））のとき、再生信号の信号強度ｆ１が、約４（ｄＢ）であり、再生信号の周波数が、周波数Ｇ（約７．５（×１０７Ｈｚ））のとき、再生信号の信号強度ｇ１が約−２（ｄＢ）であることを示している。図１２の例の位相グラフ２５２は、再生信号の周波数が、周波数Ｆのとき、再生信号の位相ｆ２が、約−１５５（ｄｅｇ）であり、再生信号の周波数が、周波数Ｇのとき、再生信号の位相ｇ２が、約−４５（ｄｅｇ）であり、再生信号の周波数が、周波数Ｈ（約６．４（×１０７Ｈｚ））のとき、再生信号の位相ｈ２が約−２２０（ｄｅｇ）であることを示している。
【０１２０】
すなわち、図１２のＩＤ兼用フィルタは、通常データの再生信号を良好に再生するために持ち上げたい周波数Ｇの信号強度ｇ１が、約−２（ｄＢ）に増幅されるように、約４．７（×１０７Ｈｚ）の周波数Ｆの信号強度ｆ１が、約４（ｄＢ）になるように設定されている。これにより、通常データの再生信号を良好に再生するために持ち上げたい周波数Ｇの信号強度ｇ１が、約−２（ｄＢ）まで持ち上げられる。
【０１２１】
しかしながら、このとき、位相グラフ２５２に示されるように、この再生信号の位相特性は、再生信号の周波数Ｈにおける位相ｈ２までは、直線であるが、位相ｈ２を境に曲線になっている。すなわち、通常データの再生のために必要な再生信号の周波数Ｇの位相（位相ｇ２）が曲線になるため、再生信号の位相特性は、変化してしまう。したがって、図１２のＩＤ兼用フィルタにより波形等化された信号の周波数Ｇの信号強度ｇ１は、再生信号が正しく増幅された結果とは言えない。
【０１２２】
図１３は、ＩＤ兼用フィルタを用いて得られる再生信号の等化器特性の他の例を表すグラフを示している。図１３の例の場合、用いられるＩＤ兼用フィルタは、通常データの再生のために必要な周波数の信号成分を正しく増幅するように設定されたものである。なお、図１３において、図１２における場合と対応する部分には対応する符号を付してあり、その説明は繰り返しになるので省略する。
【０１２３】
図１３の例の信号強度グラフ２６１は、再生信号の周波数が、周波数Ｆ（約４．８（×１０７Ｈｚ））のとき、再生信号の信号強度ｆ１が、約２（ｄＢ）であり、再生信号の周波数が、周波数Ｇ（約７．５（×１０７Ｈｚ））のとき、再生信号の信号強度ｇ１が約０（ｄＢ）であることを示している。図１３の例の位相グラフ２６２は、再生信号の周波数が、周波数Ｆのとき、再生信号の位相ｆ２が、約−２２０（ｄｅｇ）であり、再生信号の周波数が、周波数Ｇのとき、再生信号の位相ｇ２が、約−３４０（ｄｅｇ）であり、周波数Ｆの約２倍の周波数である、再生信号の周波数が、周波数Ｉ（約９．４（×１０７Ｈｚ））のとき、再生信号の位相ｉ２が約−４４０（ｄｅｇ）であることを示している。
【０１２４】
すなわち、図１３において用いられたＩＤ兼用フィルタは、通常データの再生信号を良好に再生するために持ち上げたい周波数Ｇの信号強度ｇ１が、約０（ｄＢ）に増幅されるように、約４．７（×１０７Ｈｚ）の周波数Ｆの信号強度ｆ１が、約２（ｄＢ）になるように設定されている。これにより、通常データの再生信号を良好に再生するために持ち上げたい周波数Ｇの信号強度ｇ１が、約０（ｄＢ）まで持ち上げられる。
【０１２５】
そして、このとき、位相グラフ２６２に示されるように、この信号の位相特性は、再生信号の周波数Ｉにおける位相ｉ２まで直線で、位相ｉ２を境に、曲線になる。すなわち、通常データの再生のために必要な周波数Ｇの信号成分の位相ｇ２の周辺は直線であるため、図１３のＩＤ兼用フィルタにより波形等化された信号の周波数Ｇの信号強度ｇ１は、正しく増幅されている。
【０１２６】
以上のように、等化器２１３においては、ＩＤ兼用フィルタは、再生信号の位相特性が、再生に必要な周波数Ｇでは、曲がることがないように、すなわち、増幅する周波数Ｆの略２倍の周波数Ｉの信号成分までは、直線で、周波数Ｉの信号成分あたりで、曲線になるように設定される。このように設定されたＩＤ兼用フィルタを用いることにより、ＩＤ情報および通常のデータの再生信号を良好に再生するために必要な各周波数の信号成分を増幅することができ、ＩＤ情報および通常のデータを同時に再生することができる。
【０１２７】
なお、等化器２１３には、クロック検出部６９からのクロックが入力されており、ＩＤ兼用フィルタおよびデータ用フィルタにおいて増幅する対象となる周波数は、入力されるクロックにより、再生転送速度に対応するように変更される。
【０１２８】
次に、図１４のフローチャートを参照して、記録再生装置２０１のＩＤ情報再生処理を説明する。図示せぬホストコンピュータからＩＤ情報の読み出し命令がハードディスクコントローラ１２を介して、ＣＰＵ１１に入力される。ＣＰＵ１１は、ＩＤ情報の読み出し命令を、等化器２１３およびタイミング発生部２１９に出力する。ＣＰＵ１１からのＩＤ情報の読み出し命令に基づいて、等化器２１３は、ステップＳ５１において、初期値として設定されているデータ用フィルタから、ＩＤ兼用フィルタに切り替え、ステップＳ５２に進む。
【０１２９】
ＣＰＵ１１は、ステップＳ５２において、位置制御部２１５を制御して、ＩＤ情報が記録されているトラックに、ヘッド２１１を移動させ、ヘッド２１１の位置を所定のトラック上に正確に位置させ、ステップＳ５３に進む。すなわち、位置制御部２１５は、ＣＰＵ１１からの制御に基づいて、ヘッド２１１の位置を決め、駆動部２１６を制御し、決めたトラックの位置に、ヘッド２１１を移動させる。駆動部２１６は、位置制御部２１５の制御のもと、ヘッド２１１を移動し、ヘッド２１１の位置を決定する。
【０１３０】
ステップＳ５３において、ヘッド２１１は、再生アンプ２１２からの制御のもと、磁気ディスク２上の、駆動部２１６により決められた位置（トラック）から、信号を読み出す。ヘッド２１１は、読み出された再生信号を、再生アンプ２１２に供給する。再生アンプ２１２は、ヘッド２１１からの再生信号を増幅し、増幅した再生信号を、等化器２１３に供給し、ステップＳ５４に進む。
【０１３１】
等化器２１３は、ステップＳ５４において、ＩＤ兼用フィルタを用いて、所定の周波数の信号成分を中心に増幅して、再生アンプ２１２からの再生信号の波形を等化し、図１３を参照して上述したように波形を等化した再生信号を、Ａ／Ｄ変換部２１４に供給し、ステップＳ５５に進む。Ａ／Ｄ変換部２１４は、等化器２１３からのアナログの再生信号を、デジタル信号に変換し、変換したデジタル信号を、位置制御部２１５、アドレス検出部２１７、クロック検出部２１８、ＩＤ検出部２２０、およびデータ復調部２２１に供給する。なお、位置制御部２１５、アドレス検出部２１７、およびクロック検出部２１８において用いられるサーボ情報は、データゾーン１０２に記録されているＩＤ情報やデータとは異なり、等化器２１３のフィルタがデータ用フィルタであってもＩＤ兼用フィルタであってもあまり影響はなく、正常に再生される。
【０１３２】
Ａ／Ｄ変換部２１４からデジタル信号が入力されると、ステップＳ５５において、アドレス検出部２１７は、デジタル信号に含まれるトラックアドレス１２２のホームインデックスなどから、ヘッド２１１の半径方向の位置と周方向の位置（アドレス）を検出し、検出した半径方向の位置と周方向の位置を、タイミング発生部２１９に供給し、ステップＳ５６に進む。
【０１３３】
なお、このとき、位置制御部２１５は、Ａ／Ｄ変換部２１４からのデジタル信号に含まれるトラックアドレス１２２やファインシグナル１２４などから、トラッキングサーボ信号を検出し、検出されたトラッキングサーボ信号に基づいて、ヘッド２１１の位置を決め、駆動部２１６を制御し、決めた位置に、ヘッド２１１を移動させる。駆動部２１６は、位置制御部２１５の制御のもと、ヘッド２１１を移動し、ヘッド２１１の位置を正確に決定する。また、クロック検出部２１８は、Ａ／Ｄ変換部２１４からのデジタル信号に含まれるクロックマーク１２３などから、クロックを検出し、検出したクロックを、タイミング発生部２１９および等化器２１３に供給する。
【０１３４】
タイミング発生部２１９は、ＣＰＵ１１からＩＤ情報の読み出し命令とともにそのアドレスが入力されているので、ステップＳ５６において、クロック検出部２１８からのクロックおよびアドレス検出部２１７からのヘッド２１１の半径方向の位置と周方向の位置に基づいて、ヘッド２１１によりＩＤ情報のデータが読み出されるタイミングを特定し、ステップＳ５７に進む。
【０１３５】
タイミング発生部２１９は、ステップＳ５７において、特定したタイミングになるまで待機している。待機している間も、ヘッド２１１から読み出された信号は、再生アンプ２１２を介して、等化器２１３によりＩＤ情報フィルタで増幅され、波形が等化され、Ａ／Ｄ変換部２１４によりデジタル信号に変換されて、位置制御部２１５、アドレス検出部２１７、クロック検出部２１８、ＩＤ検出部２２０、およびデータ復調部２２１に供給されている。
【０１３６】
タイミング発生部２１９は、ステップＳ５７において、特定したタイミングになったと判定した場合、ステップＳ５８に進み、ＩＤ検出部２２０を制御し、Ａ／Ｄ変換部２１４からのデジタル信号から、ＩＤ情報を検出させ、検出したＩＤ情報を、ハードディスクコントローラ１２を介して、ＣＰＵ１１およびホストコンピュータに出力させ、ステップＳ５９に進む。また、タイミング発生部２１９は、ステップＳ５９において、データ復調部２２１を制御し、Ａ／Ｄ変換部２１４からのデジタル信号から、タイトル情報のデータを検出させ、検出したタイトル情報のデータを復調して、ハードディスクコントローラ１２を介して、ＣＰＵ１１およびホストコンピュータに出させ、ステップＳ６０に進む。なお、このステップＳ５８およびＳ５９の処理は、並行して実行される処理である。
【０１３７】
ＣＰＵ１１は、ステップＳ６０において、ＩＤ情報が検出されたか否かを判定し、ＩＤ情報が検出されていないと判定した場合、ステップＳ５２に戻り、それ以降の処理を繰り返す。すなわち、この領域に記録されているＩＤ情報が、ディスクの破損などで検出されないと判定し、他の領域に記録されているＩＤ情報を再生する処理を繰り返し行う。一方、ＣＰＵ１１は、ステップＳ６０おいて、ＩＤ情報が検出されたか否かを判定し、ＩＤ情報が検出されたと判定した場合、ステップＳ６１において、等化器２１３を制御し、フィルタを元に戻させる。すなわち、ＣＰＵ１１は、等化器２１３を制御し、ＩＤ情報用フィルタから、データ用フィルタに切り替えさせ、ＩＤ情報再生処理を終了する。
【０１３８】
以上のように、特殊で高価なサーボライタからなる記録装置１を用いて、磁気ディスク２のデータゾーン１０２の所定の領域に、ＩＤ情報とタイトル情報を重ねて記録するようにしたので、磁気ディスク２が組み込まれる記録再生装置２０１においては、このＩＤ情報を再生することしかできない。すなわち、タイトル情報と重ねて記録されているＩＤ情報を、記録再生装置２０１が書き換えることは、ほぼ不可能とすることができる。
【０１３９】
また、記録再生装置２０１においては、記録装置１により重ねて記録されたＩＤ情報とタイトル情報を読み出すために増幅すべき周波数の略中間の周波数の信号成分を持ち上げるように設定されたＩＤ兼用フィルタを用いて波形等化するようにしたので、ＩＤ情報とタイトル情報を同時に再生することができる。
【０１４０】
さらに、ＩＤ兼用フィルタを用いることにより、ＩＤ情報とタイトル情報が含まれる再生信号を別々の等化器で波形等化する場合よりも、等化器の回路が複雑になることが抑制され、装置を簡単に実現することができる。
【０１４１】
以上のように磁気ディスクに他のデータと多重化して記録されるＩＤ情報を、例えば、著作権保護を必要とする有料音楽情報を記録再生する際に、記録媒体または記録装置を識別するために用いることにより、ＩＤ情報の書き換えや改竄をすることが困難になるため、著作権保護を促進することができる。
【０１４２】
なお、上記説明においては、装置に組み込まれる磁気ディスクを用いて説明したが、本発明は、装置に装着される着脱可能なディスクにも適用でき、さらに、光磁気、相変化、または、凹凸などのディスクの状態変化によって情報を記録する光磁気ディスクや光ディスクにも適用することができる。
【０１４３】
上述した一連の処理は、ハードウェアにより実行させることもできるが、ソフトウェアにより実行させることもできる。この場合、例えば、図１の記録装置１および図８の記録再生装置２０１は、図１５に示されるような情報処理装置３０１により構成される。
【０１４４】
図１５において、ＣＰＵ（Central Processing Unit）３１１は、ＲＯＭ(Read Only Memory) ３１２に記憶されているプログラム、または、記憶部３１８からＲＡＭ（Random Access Memory）３１３にロードされたプログラムに従って各種の処理を実行する。ＲＡＭ３１３にはまた、ＣＰＵ３１１が各種の処理を実行する上において必要なデータなどが適宜記憶される。
【０１４５】
ＣＰＵ３１１、ＲＯＭ３１２、およびＲＡＭ３１３は、バス３１４を介して相互に接続されている。このバス３１４にはまた、入出力インタフェース３１５も接続されている。
【０１４６】
入出力インタフェース３１５には、キーボード、マウスなどよりなる入力部３１６、ＣＲＴ(Cathode Ray Tube)，ＬＣＤ（Liquid Crystal Display）などよりなるディスプレイ、並びにスピーカなどよりなる出力部３１７、ハードディスクなどより構成される記憶部３１８、モデム、ターミナルアダプタなどより構成される通信部３１９が接続されている。通信部３１９は、無線などのネットワークを介しての通信処理を行う。
【０１４７】
入出力インタフェース３１５にはまた、必要に応じてドライブ３２０が接続され、磁気ディスク３２１、光ディスク３２２、光磁気ディスク３２３、或いは半導体メモリ３２４などが適宜装着され、それから読み出されたコンピュータプログラムが、必要に応じて記憶部３１８にインストールされる。
【０１４８】
一連の処理をソフトウェアにより実行させる場合には、そのソフトウェアを構成するプログラムが、専用のハードウェアに組み込まれているコンピュータ、または、各種のプログラムをインストールすることで、各種の機能を実行することが可能な、例えば、汎用のパーソナルコンピュータなどに、ネットワークや記録媒体からインストールされる。
【０１４９】
この記録媒体は、図１５に示されるように、装置本体とは別に、ユーザにプログラムを提供するために配布される、プログラムが記録されている磁気ディスク３２１（フレキシブルディスクを含む）、光ディスク３２２（CD-ROM(Compact Disk-Read Only Memory)，ＤＶＤ(Digital Versatile Disk)を含む）、光磁気ディスク３２３（MD(Mini-Disk)（商標）を含む）、もしくは半導体メモリ３２４などよりなるパッケージメディアにより構成されるだけでなく、装置本体に予め組み込まれた状態でユーザに提供される、プログラムが記録されているＲＯＭ３１２や、記憶部３１９に含まれるハードディスクなどで構成される。
【０１５０】
なお、本明細書において、フローチャートに示されるステップは、記載された順序に従って時系列的に行われる処理はもちろん、必ずしも時系列的に処理されなくとも、並列的あるいは個別に実行される処理をも含むものである。
【０１５１】
なお、本明細書において、システムとは、複数の装置により構成される装置全体を表すものである。
【図面の簡単な説明】
【０１５２】
【図１】本発明の記録装置の構成例を示すブロック図である。
【図２】図１の磁気ディスクの構成例を示す図である。
【図３】図２のサーボゾーンを説明する図である。
【図４】記録電流とオードーライト特性の関係を説明する図である。
【図５】複数のデータが重ねて記録されている所定の領域を再生した場合の再生信号波形を説明する図である。
【図６】図１の記録装置の記録処理を説明するフローチャートである。
【図７】図６のステップＳ６のＩＤ情報記録処理を説明するフローチャートである。
【図８】本発明の記録再生装置の構成例を示すブロック図である。
【図９】通常データを再生する等化器特性の例を説明する図である。
【図１０】ＩＤ情報を再生する等化器特性の例を説明する図である。
【図１１】本発明の等化器特性の例を説明する図である。
【図１２】図１１の等化器特性を詳しく説明する図である。
【図１３】図１１の等化器特性を詳しく説明する図である。
【図１４】図８の記録再生装置のＩＤ情報再生処理を説明するフローチャートである。
【図１５】本発明を適用した情報処理装置の構成例を示すブロック図である。
【符号の説明】
【０１５３】
１  記録装置，２  磁気ディスク，１１  ＣＰＵ，１２  ハードディスクコントローラ，１３  バッファＲＡＭ，１４  再生ヘッド，１５  再生アンプ，１６  クロック検出部，１７  タイミング発生部，１８  記録データ生成部，１９  記録アンプ，２０  記録ヘッド，２１  位置制御部，２２  駆動部，１０１  サーボゾーン，１０２  データゾーン，  ２０１  記録再生装置，２１１  ヘッド，２１２  再生アンプ，２１３  等化器，２１４  Ａ／Ｄ変換部，２１５  位置制御部，２１６  駆動部，２１７  アドレス検出部，２１８  クロック検出部，２１９  タイミング発生部，２２０  ＩＤ検出部，２２１  データ復調部，２２２  記録データ生成部
【図１】
0004651289.tif 000002
【図２】
0004651289.tif 000003
【図３】
0004651289.tif 000004
【図４】
0004651289.tif 000005
【図５】
0004651289.tif 000006
【図６】
0004651289.tif 000007
【図７】
0004651289.tif 000008
【図８】
0004651289.tif 000009
【図９】
0004651289.tif 000010
【図１０】
0004651289.tif 000011
【図１１】
0004651289.tif 000012
【図１２】
0004651289.tif 000013
【図１３】
0004651289.tif 000014
【図１４】
0004651289.tif 000015
【図１５】
0004651289.tif 000016